(57)【要約】【課題】入光効率の低下を抑制可能な照明装置及び表示装置を提供する。【解決手段】照明装置は、第１面、第１面に交差する第２面、及び、第１面に交差しかつ第２面とは反対側の第３面を有する光学部材と、第１面に対向して配置され、第１面に向かって光を出射する光源と、光を反射する第１反射部と、を備え、第１反射部は、第１面と光源との間の空間に対して第２面の側に位置し、第１反射部の少なくとも一部が、第１面から光源にかけて位置する。【選択図】図２
2020202137.tif 000002
【特許請求の範囲】
【請求項１】
第１面、前記第１面に交差する第２面、及び、前記第１面に交差しかつ前記第２面とは反対側の第３面を有する光学部材と、
前記第１面に対向して配置され、前記第１面に向かって光を出射する光源と、
光を反射する第１反射部と、を備え、
前記第１反射部は、前記第１面と前記光源との間の空間に対して前記第２面の側に位置し、前記第１反射部の少なくとも一部が、前記第１面から前記光源にかけて位置する
照明装置。
【請求項２】
更に、前記第２面に沿って配置される第１反射シートを備え、
前記第１反射シートは、前記第１面よりも前記光源の側に突出する突出部を含み、前記突出部が前記第１反射部を形成する
請求項１に記載の照明装置。
【請求項３】
前記突出部は、前記第１面の側から前記光源の側に向かうにしたがって前記光源から離れる方向に曲がっている
請求項２に記載の照明装置。
【請求項４】
更に、前記第２面の側に位置し、前記光学部材を保持するシャーシを備え、
前記シャーシは、前記第１面よりも前記光源の側において、前記第１面の側から前記光源の側に向かうにしたがって、前記光源から離れる方向に曲る曲面を有し、
前記突出部は、前記曲面に沿って固定される
請求項３に記載の照明装置。
【請求項５】
更に、前記光学部材を支持する光学部材支持部材を備え、
前記光学部材支持部材は、前記第１反射部を備える
請求項１から請求項４のいずれか１項に記載の照明装置。
【請求項６】
更に、光を反射する第２反射部を備え、
前記第２反射部は、前記光源と前記第１面との間の空間に対して前記第３面の側に位置し、前記第２反射部の少なくとも一部が、前記第１面から前記光源にかけて位置する
請求項１から請求項５のいずれか１項に記載の照明装置。
【請求項７】
前記第２反射部は、前記第３面の側に配置される第２反射シートである
請求項６に記載の照明装置。
【請求項８】
前記第２反射シートは、前記第１面の側から前記光源の側に向かうにしたがって前記光源から離れる方向に曲がっている
請求項７に記載の照明装置。
【請求項９】
請求項１から請求項５のいずれか１項に記載の照明装置と、
前記第３面に対向して配置される表示パネルと、を備える
表示装置。
【請求項１０】
前記表示パネルを支持するパネルシャーシを更に備え、
前記パネルシャーシは、少なくとも一部が前記光源と前記第１面との間の空間に対して前記第３面の側に位置し光を反射する第２反射部を備える
請求項９に記載の表示装置。
【発明の詳細な説明】
【技術分野】
【０００１】
本発明は、照明装置及び表示装置に関する。
【背景技術】
【０００２】
特許文献１には、表示パネルと、バックライトと、を備える液晶表示装置が記載されている。上記バックライトは、エッジ型ＬＥＤバックライトとして構成され、導光板と、導光板の側端部（側面）に対向するように配置される複数のＬＥＤチップ（光源）と、を備える。上記バックライトでは、光源から出射され導光板の側面に入光された光が、液晶パネルに向かって出射される。
【先行技術文献】
【特許文献】
【０００３】
【特許文献１】特開２０１５−９２２３５号公報
【発明の概要】
【発明が解決しようとする課題】
【０００４】
しかしながら、特許文献１に記載の液晶表示装置では、導光板の側面と光源との間に形成された隙間から、光源から出射された光の一部が、導光板の前後に漏れるおそれがある。すなわち、光源から出射された光の一部が導光板の側面に入光せずに、入光効率が低下するおそれがある。
【０００５】
本発明は、入光効率の低下を抑制可能な照明装置及び表示装置を提供することを一つの目的とする。
【課題を解決するための手段】
【０００６】
本発明の第１の態様に係る照明装置は、第１面、前記第１面に交差する第２面、及び、前記第１面に交差しかつ前記第２面とは反対側の第３面を有する光学部材と、前記第１面に対向して配置され、前記第１面に向かって光を出射する光源と、光を反射する第１反射部と、を備え、前記第１反射部は、前記第１面と前記光源との間の空間に対して前記第２面の側に位置し、前記第１反射部の少なくとも一部が、前記第１面から前記光源にかけて位置する。
【０００７】
本発明の第２の態様に係る照明装置は、上記第１の態様において、更に、前記第２面に沿って配置される第１反射シートを備え、前記第１反射シートは、前記第１面よりも前記光源の側に突出する突出部を含み、前記突出部が前記第１反射部を形成する。
【０００８】
本発明の第３の態様に係る照明装置は、上記第２の態様において、前記突出部は、前記第１面の側から前記光源の側に向かうにしたがって前記光源から離れる方向に曲がっている。
【０００９】
本発明の第４の態様に係る照明装置は、上記第３の態様において、更に、前記第２面の側に位置し、前記光学部材を保持するシャーシを備え、前記シャーシは、前記第１面よりも前記光源の側において、前記第１面の側から前記光源の側に向かうにしたがって、前記光源から離れる方向に曲る曲面を有し、前記突出部は、前記曲面に沿って固定される。
【００１０】
本発明の第５の態様に係る照明装置は、上記第１から第４のいずれか１の態様において、更に、前記光学部材を支持する光学部材支持部材を備え、前記光学部材支持部材は、前記第１反射部を備える。
【００１１】
本発明の第６の態様に係る照明装置は、上記第１から第５のいずれか１の態様において、更に、光を反射する第２反射部を備え、前記第２反射部は、前記光源と前記第１面との間の空間に対して前記第３面の側に位置し、前記第２反射部の少なくとも一部が、前記第１面から前記光源にかけて位置する。
【００１２】
本発明の第７の態様に係る照明装置は、上記第６の態様において、前記第２反射部は、前記第３面の側に配置される第２反射シートである。
【００１３】
本発明の第８の態様に係る照明装置は、上記第５の態様において、前記第２反射シートは、前記第１面の側から前記光源の側に向かうにしたがって前記第３面から離れる方向に屈曲する。
【００１４】
本発明の第９の態様に係る表示装置は、上記第１から第５のいずれか１の態様に記載の照明装置と、前記第３面に対向して配置される表示パネルと、を備える。
【００１５】
本発明の第１０の態様に係る表示装置は、上記第９の態様において、前記表示パネルを支持するパネルシャーシを更に備え、前記パネルシャーシは、少なくとも一部が前記光源と前記第１面との間の空間に対して前記第３面の側に位置し光を反射する第２反射部を備える。
【図面の簡単な説明】
【００１６】
【図１】第１の実施形態に係る表示装置を備えるテレビジョン受信機の一例を模式的に示す図である。
【図２】図１のII−II線における表示装置の断面の概略構成を示す図である。
【図３】導光板と光源部と反射シートとを模式的に示す図である。
【図４】第１の実施形態の一変形例である第１変形例に係る表示装置の断面を模式的に示す図である。
【図５】比較例に係る表示装置の断面を模式的に示す図である。
【図６】第１の実施形態の一変形例である第２変形例に係る表示装置の断面を模式的に示す図である。
【図７】第２の実施形態に係る表示装置の断面を模式的に示す図である。
【図８】第２の実施形態の一変形例である第３変形例に係る表示装置の断面を模式的に示す図である。
【図９】第３の実施形態に係る表示装置の断面を模式的に示す図である。
【発明を実施するための形態】
【００１７】
以下、本発明の一態様に係る照明装置及び表示装置について、図面を参照しつつ説明する。なお、以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００１８】
（第１の実施形態）
以下、本発明の一態様に係る照明装置及び表示装置の一実施形態について説明する。図１は、一実施形態に係る照明装置及び表示装置を備えるテレビジョン受信機の外観の概略構成を示す図である。図１に示すように、テレビジョン受信機１０１は、表示装置１１０と、受信部１２０と、信号処理部１３０と、を備えている。表示装置１１０は、画像を表示する表示面１１１を有する。表示装置１１０には受信部１２０及び信号処理部１３０が内蔵されている。なお、受信部１２０及び信号処理部１３０は、表示装置１１０の外部に設けられてもよい。
【００１９】
テレビジョン受信機１０１は、例えば図示しないスタンドに支持されて据え置きされるか、又は、図示しない金具に掛止されて壁掛けされる。このとき、表示装置１１０の表示面１１１は前側に向けられ、表示装置１１０の厚み方向、長手方向、及び短手方向は、それぞれ前後方向、左右方向、及び上下方向に沿う。
【００２０】
受信部１２０は、受信回路が実装された回路基板である。受信部１２０は、図示しないアンテナを介して外部からテレビジョン放送を受信し、受信したテレビジョン放送に基づく放送信号を出力する。
【００２１】
信号処理部１３０は、信号処理回路が実装された回路基板である。信号処理部１３０は、受信部１２０が出力した放送信号に所定の信号処理を施すことによって、映像データを出力する。信号処理部１３０が出力した映像データに基づく映像は、表示装置１１０の表示面１１１に表示される。
【００２２】
（表示装置の構成）
図２は、図１のII−II線における表示装置１１０の断面の概略構成の一例を示す図である。表示装置１１０は、表示パネル２０１と、バックライト２０２と、を含み構成される。
【００２３】
表示パネル２０１は、前後方向の平面視にて略矩形状の外形を有し、表示面１１１（図１参照）に画像を表示する。表示パネル２０１は、例えば、カラーフィルタ基板とアレー基板との間に液晶を封入することによって構成される液晶パネルである。表示パネル２０１は、各画素にＴＦＴ（Thin-film-transistor）を備え、ＴＦＴのゲートラインにゲートドライバ（図示省略）が接続され、ソースラインにソースドライバ（図示省略）が接続される。
【００２４】
表示装置１１０は、パネルシャーシ２１１と、ベゼル２１２と、を備える。表示パネル２０１は、パネルシャーシ２１１とベゼル２１２とによって前後方向から挟持される。パネルシャーシ２１１は、表示パネル２０１の上下左右の４辺に沿う枠状に構成され、スペーサを介して表示パネル２０１を後方から支持する。ベゼル２１２は、表示面１１１の側から表示パネル２０１の外周部を覆う枠状の筐体であり、スペーサを介して表示パネル２０１を前側から支持する。図示を省略するが、パネルシャーシ２１１とベゼル２１２とは、バックライト２０２の後述するバックライトシャーシ２０６やヒートスプレッダ２０７に固定される。
【００２５】
（バックライトの構成）
バックライト２０２は、本発明の一態様に係る照明装置の一実施形態であり、図２に示すように、表示パネル２０１の後側に配置され、表示パネル２０１に向かって照明光を照射する。バックライト２０２は、導光板２０３と、光源部２０４と、反射シート２０５と、を少なくとも備え、更に、バックライトシャーシ２０６と、ヒートスプレッダ２０７と、を備える。
【００２６】
導光板２０３は、前後方向の平面視にて略矩形状の外形を有する板状の光学部材である。導光板２０３は、第１面２３１と、第１面に交差する第２面２３２と、第１面２３１に交差しかつ第２面２３２とは反対側の第３面２３３と、を有する。導光板２０３は、第１面２３１から入光した光を第３面２３３から出射する。
【００２７】
図２に示す例では、第１面２３１、第２面２３２、及び第３面２３３は、それぞれ導光板２０３の下面、背面（後側の面）、及び前面である。すなわち、導光板２０３は、後側の面（背面）に反射シート２０５が配置され、第１面２３１に入光した光を、第３面２３３から前方に向かって出射する。なお、導光板２０３の第３面２３３には光学シートが配置されている。
【００２８】
光源部２０４は、例えば、光源基板２４１と、光源２４２と、を備え、導光板２０３の第１面２３１に向かって光を出射する。光源基板２４１は、図２に示すように、略Ｌ字状の断面形状を有する。すなわち、光源基板２４１は、導光板２０３の下面に沿って配置され、光源２４２が実装される実装部２４１１と、実装部２４１１から上側に屈曲し、導光板２０３の後側に位置する背面部２４１２と、を備える。
【００２９】
図３は、導光板２０３と光源部２０４と反射シート２０５とを模式的に示す図である。実装部２４１１は、導光板２０３の第１面２３１に沿って配置される。実装部２４１１には、左右方向に沿って複数の光源２４２が配置される。光源２４２は、例えばＬＥＤ（Light Emitting Diode）やＬＤ（Laser Diode）等の発光素子である。また、光源２４２としては、例えば、冷陰極管や蛍光管等を用いてもよい。
【００３０】
図２及び図３に示すように、光源２４２と第１面２３１との間には空間ＣＬが形成されている。光源２４２と第１面２３１との間のギャップの寸法Ｌ１は、例えば、０．６ｍｍ±０．２ｍｍである。なお、光源２４２としてＬＥＤを用いる場合に、ＬＥＤの上下方向の寸法Ｌ２は、例えば、０．５ｍｍ以上、１ｍｍ以下である。
【００３１】
バックライトシャーシ２０６は、導光板２０３の後側に配置され、導光板２０３を含むバックライト２０２の各部材を保持する。バックライトシャーシ２０６の前面には、後方から順に、反射シート２０５及び導光板２０３が配置されている。バックライトシャーシ２０６の後方には、前方から順に、光源基板２４１の背面部２４１２及びヒートスプレッダ２０７が配置されている。図示を省略するが、光源部２０４及びヒートスプレッダ２０７は、バックライトシャーシ２０６に固定される。
【００３２】
ヒートスプレッダ２０７は、例えばアルミニウム等の金属材料で形成され、光源２４２等の熱源からの熱を放熱する放熱部材である。ヒートスプレッダ２０７は、バックライトシャーシ２０６との間で背面部２４１２を挟むように配置され、図示を省略するがバックライトシャーシ２０６に取り付けられる。すなわち、ヒートスプレッダ２０７は、背面部２４１２とバックライトシャーシ２０６とに接触し、光源部２０４及びバックライトシャーシ２０６との間で熱交換可能である。
【００３３】
反射シート２０５は、第１反射シートの一例であり、第２面２３２に沿って配置され、前方に向かって光を反射する。反射シート２０５は、例えば、光沢フィルムであり、弾性を有する。反射シート２０５は、導光板２０３の第２面２３２又はバックライトシャーシ２０６の前面に接着される。反射シート２０５は、図２及び図３に示すように、第１面２３１よりも光源２４２の側、すなわち下方に突出する突出部２５１を含む。
【００３４】
突出部２５１は、第１反射部の一例であり、光源２４２と第１面２３１との間の空間ＣＬに対して後方に位置し、光源２４２から第１面２３１にかけて配置される。換言すると、突出部２５１は、光源２４２と第１面２３１との間の空間ＣＬに沿って、光源２４２から第１面２３１にかけて配置される。すなわち、突出部２５１は、図３に示すように、平面視で第１面２３１と光源２４２とに重なるように配置される。これにより、光源２４２から出射された光が、光源２４２の後方に拡散することを抑制でき、入光効率の低下を抑制できる。
【００３５】
突出部２５１の先端２５２（突出方向の先端）は、光源２４２の上端２４２１よりも下方に位置している。先端２５２は、光源基板２４１の実装部２４１１の基板面に略接触、すなわち近接又は接触している。これにより、反射シート２０５の先端２５２と光源基板２４１との間から光が後方に拡散することをより好適に抑制でき、入光効率の低下をより一層抑制できる。
【００３６】
（第１の実施形態の変形例）
図４は、第１の実施形態の一変形例である第１変形例に係る表示装置４０１を模式的に示す断面図である。図５は、比較例に係る表示装置５０１を模式的に示す断面図である。図４に示す表示装置４０１では、突出部４０２が、第１面２３１の側から光源２４２の側に向かうにしたがって光源２４２から離れる方向に曲がっている点で、第１の実施形態の表示装置１１０と相違する。
【００３７】
図４に示す例では、突出部４０２は、第１面２３１の側から光源２４２の側に向かって（すなわち下方に向かって）延出し、屈曲部４０３にて光源２４２から離れる方向（すなわち後方）に向かって屈曲する。突出部４０２の先端４０４は、第２面２３２よりも後方で、光源基板２４１に当接している。これにより、例えば、図５に示すように、突出部５０２が光源２４２側に折れ曲がり、突出部５０２によって光源２４２からの光が遮られるという不具合が発生することを抑制できる。
【００３８】
また、図４に示す例では、反射シート２０５は、突出部４０２が屈曲部４０３にて予め曲がっているため、曲がっていない場合と比べて、先端４０４が光源基板２４１に当接した際に、先端４０４から光源基板２４１への押圧力を低減できる。したがって、先端４０４が光源基板２４１を押圧することにより、光源基板２４１が押し下げられ、光源２４２と第１面２３１との間のギャップの寸法Ｌ１が所望値よりも広くなるという不具合を抑制できる。
【００３９】
また、図４に示す例では、屈曲部４０３が光源２４２の上端２４２１よりも下方、すなわち光源基板２４１側に位置する。このような構成では、突出部４０２のうちの第２面２３２に沿って延出する面を空間ＣＬに沿って配置することができ、入光効率の低下をより一層抑制できる。なお、図４に示す例では、突出部４０２は、屈曲部４０３にて屈曲していたが、下方に向かうにしたがって後方に向かって湾曲してもよい。
【００４０】
図６は、第１の実施形態の一変形例である第２変形例に係る表示装置６０１を模式的に示す断面図である。図６に示す表示装置６０１では、突出部６０２が、シャーシ２０６の湾曲面６０４に沿って配置される点で、第１の実施形態の表示装置１１０と相違する。
【００４１】
図６に示す例では、バックライトシャーシ２０６は、少なくとも一部が第１面２３１よりも下方に位置する下端部６０３を有する。下端部６０３の光源２４２側の面（前面及び下面）は、曲面６０４を含む。曲面６０４は、第１面２３１から光源２４２に向かうにしたがって、光源２４２から離れる方向に曲がる。換言すると、曲面６０４は、下方に向かうにしたがって後方に向かうように曲がる。図６に示す例では、曲面６０４は、下方に向かうにしたがって後方に向かうように湾曲しているが、屈曲してもよい。曲面６０４は、少なくとも一部が第１面２３１よりも光源２４２の側に位置する。
【００４２】
突出部６０２は、湾曲面６０４に沿って固定される。突出部６０２は、例えば、接着剤により湾曲面６０４に固定される。第２変形例では、突出部６０２は、後方に向かって曲がるので、第１変形例と同様に、突出部６０１によって光源２４２からの光が遮られるという不具合が発生することを抑制できる。
【００４３】
（第２の実施形態）
次に、第２の実施形態について説明する。なお、下記において第１の実施形態と同様である点については説明を省略する。第２の実施形態では、導光板２０３の第３面２３３側に第２反射部が設けられる点で、第１の実施形態と異なる。
【００４４】
図７は、第２の実施形態に係る表示装置７０１を模式的に示す断面図である。図７に示す表示装置７０１では、バックライト２０２は、第３面２３３の側に配置される第２反射部及び第２反射シートの一例としての反射シート７０２を備える。反射シート７０２は、導光板２０３の光源２４２側（下側）の端部に沿って配置される。反射シート７０２の少なくとも一部が、第１面２３１よりも光源２４２の側（下方）に突出し、空間ＣＬに沿って、第１面２３１から光源２４２にかけて位置する。これにより、光源２４２から出射された光が、光源２４２の前方に拡散することを抑制でき、入光効率の低下を抑制できる。
【００４５】
反射シート７０２の先端７２１（突出方向の先端）は、光源２４２の上端２４２１よりも下方に位置し、実装部２４１１の基板面に略接触（近接又は接触）している。これにより、先端７２１と光源基板２４１との間から光が前方に拡散することをより好適に抑制でき、入光効率の低下をより一層抑制できる。
【００４６】
（第２の実施形態の変形例）
図８は、第２の実施形態の一変形例である第３変形例に係る表示装置８０１を模式的に示す断面図である。図８に示す表示装置８０１では、第１変形例に係る表示装置４０１（図４参照）と同様に、バックライト２０２は、後方に向かって曲がっている突出部４０２を備える点に加え、第２反射部の一例である反射シート８０２の一部が、第１面２３１の側から光源２４２の側に向かうにしたがって光源２４２から離れる方向に曲がっている点で、第２の実施形態の表示装置７０１と相違する。
【００４７】
反射シート８０２は、第１面２３１よりも光源２４２の側に延出し、屈曲部８０３にて第３面２３３から離れる方向（すなわち前方）に向かって屈曲する。反射シート８０２の先端８０４は、第３面２３３よりも前方で、光源基板２４１に当接している。これにより、例えば、反射シート８０２が光源２４２側に折れ曲がることを抑制でき、反射シート８０２により光源２４２からの光が遮られるという不具合が発生することを抑制できる。
【００４８】
また、図８に示す例では、屈曲部８０３が光源２４２の上端２４２１よりも下方、すなわち光源基板２４１側に位置する。このような構成では、反射シート８０２のうちの第３面２３３に沿って延出する面を空間ＣＬに沿って配置することができ、入光効率の低下をより一層抑制できる。なお、反射シート８０２は、屈曲部８０３にて屈曲する構成に限定されず、下方に向かうにしたがって前方に向かって湾曲してもよい。
【００４９】
（第３の実施形態）
次に、第３の実施形態について説明する。なお、下記において第１及び第２の実施形態と同様である点については説明を省略する。第３の実施形態では、反射部が、反射シート以外の部材により構成される点で、第１及び第２の実施形態と異なる。
【００５０】
図９は、第３の実施形態に係る表示装置９０１を模式的に示す断面図である。図９に示すように、表示装置９０１では、バックライト２０２は、光学部材支持部材としての導光板支持部材９０２を備える。導光板支持部材９０２は、導光板２０３の第２面２３２の下側の外縁に沿って配置され、後側から導光板２０３を支持する。
【００５１】
導光板支持部材９０２は、少なくとも一部が反射シートを介して導光板２０３の第２面２３２に当接する当接面９２１を有する。当接面９２１は、空間ＣＬの後方に位置する。当接面９２１は、一部が、第１面２３１よりも光源２４２の側（下方）に突出し、空間ＣＬに沿って、第１面２３１から光源２４２にかけて位置する。これにより、光源２４２から出射された光が、光源２４２の後方に拡散することを抑制でき、入光効率の低下を抑制できる。すなわち、当接面９２１及び導光板支持部材９０２は、第１反射部の一例である。
【００５２】
また、パネルシャーシ２１１は、第３面２３３の下側の外縁に沿って位置し、第３面２３３に当接する当接部９０３を備える。当接部９０３は、少なくとも一部が第１面２３１に当接する当接面９３１を有する。当接面９３１は、一部が、第１面２３１よりも光源２４２の側に突出し、空間ＣＬに沿って、第１面２３１から光源２４２にかけて位置する。これにより、光源２４２から出射された光が、光源２４２の前方に拡散することを抑制でき、入光効率の低下を抑制できる。すなわち、当接面９３１は、第２反射部の一例である。
【００５３】
左右方向において、当接面９２１，９３１の寸法は、導光板２０３の第１面２３１、すなわち入光面の寸法以上である。これにより、左右方向における導光板２０３の入光面の全域を、当接面９２１，９３１によって覆うことができ、入光効率の低下を抑制できる。
【００５４】
当接面９２１，９３１の反射率は、所望値以上であり、これにより入光効率の低下を抑制できる。例えば、導光板支持部材９０２及びパネルシャーシ２１１は、反射率が所定値以上である高反射率の材料、より具体的には白色の材料で形成される。また、例えば、当接面９２１，９３１には、上記高反射率の材料が塗布されている。
【００５５】
第３の実施形態では、第２反射部がパネルシャーシ２１１に形成されていたが、これに限定されない。例えば、導光板２０３を前方から保持する保持部材が設けられる場合に、当該保持部材に第２反射部が形成されてもよい。
【００５６】
（他の変形例）
本発明の一態様に係る照明装置及び表示装置は、上述の実施形態及び変形例に限定されず、本発明の技術的思想の範囲内において、各種の変形によって得られる構成は本発明に含まれるものである。
【００５７】
上記各実形態では、第１反射部が導光板（光学部材）の後側に配置されていたが、前側に配置されてもよい。同様に、上記第２及び第３実施形態では、第２反射部が、導光板（光学部材）の前側に配置されていたが、後側に配置されてもよい。換言すると、上記各実施形態では、導光板（光学部材）の後面が第２面であり、前面が第３面であったが、後面が第３面であり、前面が第２面でもよい。
【００５８】
上記各実施形態では、本発明の一態様に係る表示装置として、液晶パネルを備える液晶ディスプレイを例示したが、本発明はこれ限定されない。例えば、有機ＥＬディスプレイ（Organic Electro Luminescence Display）等の、液晶パネル以外の透過型表示パネルを備えていてもよい。
【００５９】
また、本発明の一態様に係る表示装置として、画像が形成された半透明フィルムである表示パネルと、当該表示パネルを照明するバックライトと、を備えるサイネージ装置を例示できる。
【００６０】
上記各実施形態では、照明装置の一実施形態として、液晶パネルを備える液晶ディスプレイのバックライトを例示したが、本発明はこれ限定されない。例えば、光源２４２と導光板２０３とを備え、光源２４２からの光を導光板２０３によって導き、照明光として照射する照明装置に本発明を好適に用いることができる。
【００６１】
上記各実施形態では、光学部材として導光板２０３を備える照明装置を例示したが、本発明はこれに限定されない。例えば、光学部材として、拡散板を備えていてもよい。上記各実施形態では、照明装置の一例としてエッジ型のバックライトを例示したが、拡散板の後方に光源が配置される直下型のバックライトでもよい。
【符号の説明】
【００６２】
１０１  テレビジョン受信機
１１０,４０１,６０１，７０１，８０１，９０１  表示装置
１１１  表示面
１２０  受信部
１３０  信号処理部
２０１  表示パネル
２０２  バックライト
２０５  反射シート
２０３  導光板
２０４  光源部
２０６  バックライトシャーシ
２０７  ヒートスプレッダ
２３１  第１面
２３２  第２面
２３３  第３面
２４１  光源基板
２４２  光源
２５１，４０２，６０２  突出部
２５２，４０４  先端
２４１１  実装部
２４１２  背面部
２４２１  上端
４０３  屈曲部
６０３  下端部
６０４  湾曲面
７０２，８０２  反射シート
７２１，８０４  先端
８０３  屈曲部
９０２  導光板支持部材
９０３  当接部
９２１  当接面
９３１  当接面
【図１】
2020202137.tif 000003
【図２】
2020202137.tif 000004
【図３】
2020202137.tif 000005
【図４】
2020202137.tif 000006
【図５】
2020202137.tif 000007
【図６】
2020202137.tif 000008
【図７】
2020202137.tif 000009
【図８】
2020202137.tif 000010
【図９】
2020202137.tif 000011